(57)【特許請求の範囲】
【請求項１】
通過する波長多重光信号を増幅するための増幅特性が相違する複数の経路が設けられた増幅部と、
前記複数の経路から前記波長多重光信号が通過する通過経路を決定する決定部と、
前記増幅部に入力される前記波長多重光信号の入力パワーを検出する入力側検出部と、
前記決定部により決定された前記通過経路を通過することにより増幅された前記波長多重光信号を減衰させる可変光減衰器と、
前記可変光減衰器により減衰した前記波長多重光信号の出力パワーを検出する出力側検出部と、
前記入力側検出部により検出された前記入力パワー及び前記出力側検出部により検出された前記出力パワーに基づき前記増幅部の利得が一定となるように前記増幅部を制御する制御部と、
前記入力側検出部により検出された前記入力パワーに応じて前記可変光減衰器の減衰量を調整する調整部とを有し、
前記調整部は、前記入力パワーと前記減衰量の関係を前記通過経路に応じて切り替えることを特徴とする光増幅器。
【請求項２】
前記調整部は、前記入力パワー及び補正値に基づき前記可変光減衰器の減衰量を調整し、前記補正値を前記通過経路に応じて切り替えることを特徴とする請求項１に記載の光増幅器。
【請求項３】
前記入力パワーと前記増幅部の雑音指数またはＡＳＥ光のパワーの関係を示す複数種類のデータを保持するデータ保持部と、
前記決定部により決定された前記通過経路に応じて前記複数種類のデータから１種類のデータを選択し、該選択した１種類のデータに基づいて、前記入力側検出部により検出された前記入力パワーから前記ＡＳＥ光のパワーを算出する算出部とを、さらに有し、
前記制御部は、前記算出部により算出された前記ＡＳＥ光のパワーに基づいて前記利得の目標値を算出することを特徴とする請求項１または２に記載の光増幅器。
【請求項４】
相違する複数の数値範囲を示す数値情報を保持する数値情報保持部と、
前記決定部により決定された前記通過経路に応じて前記複数の数値範囲から数値範囲を選択し、前記入力側検出部により検出された前記入力パワーが、該選択した数値範囲内であるか否かを判定する判定部とを、さらに有することを特徴とする請求項１乃至３に記載の光増幅器。
【請求項５】
前記決定部は、前記入力側検出部により検出された前記入力パワーに応じて前記複数の経路から前記通過経路を決定することを特徴とする請求項１乃至４の何れかに記載の光増幅器。
【請求項６】
前記入力側検出部は、前記増幅部に前記波長多重光信号が入力されていないとき、他装置から前記増幅部に入力される試験光の入力パワーを検出し、
前記決定部は、前記入力側検出部により検出された前記試験光の前記入力パワーに応じて前記複数の経路から前記通過経路を決定することを特徴とする請求項５に記載の光増幅器。
【請求項７】
波長多重光信号を増幅する光増幅器と、
前記光増幅器により増幅された前記波長多重光信号に対し、光信号の挿入及び分岐の少なくとも一方を行う光分岐挿入部とを有し、
前記光増幅器は、
通過する前記波長多重光信号を増幅するための増幅特性が相違する複数の経路が設けられた増幅部と、
前記複数の経路から前記波長多重光信号が通過する通過経路を決定する決定部と、
前記増幅部に入力される前記波長多重光信号の入力パワーを検出する入力側検出部と、
前記決定部により決定された前記通過経路を通過することにより増幅された前記波長多重光信号を減衰させる可変光減衰器と、
前記可変光減衰器により減衰した前記波長多重光信号の出力パワーを検出する出力側検出部と、
前記入力側検出部により検出された前記入力パワー及び前記出力側検出部により検出された前記出力パワーに基づき前記増幅部の利得が一定となるように前記増幅部を制御する制御部と、
前記入力側検出部により検出された前記入力パワーに応じて前記可変光減衰器の減衰量を調整する調整部とを有し、
前記調整部は、前記入力パワーと前記減衰量の関係を前記通過経路に応じて切り替えることを特徴とする光伝送装置。
【請求項８】
波長多重光信号を光増幅器により増幅して他装置に中継する光中継装置において、
前記光増幅器は、
通過する前記波長多重光信号を増幅するための増幅特性が相違する複数の経路が設けられた増幅部と、
前記複数の経路から前記波長多重光信号が通過する通過経路を決定する決定部と、
前記増幅部に入力される前記波長多重光信号の入力パワーを検出する入力側検出部と、
前記決定部により決定された前記通過経路を通過することにより増幅された前記波長多重光信号を減衰させる可変光減衰器と、
前記可変光減衰器により減衰した前記波長多重光信号の出力パワーを検出する出力側検出部と、
前記入力側検出部により検出された前記入力パワー及び前記出力側検出部により検出された前記出力パワーに基づき前記増幅部の利得が一定となるように前記増幅部を制御する制御部と、
前記入力側検出部により検出された前記入力パワーに応じて前記可変光減衰器の減衰量を調整する調整部とを有し、
前記調整部は、前記入力パワーと前記減衰量の関係を前記通過経路に応じて切り替えることを特徴とする光中継装置。
【発明の詳細な説明】
【技術分野】
【０００１】
本件は、光増幅器、光伝送装置、及び光中継装置に関する。
【背景技術】
【０００２】
通信の需要が増加するに伴って、波長多重技術（WDM :Wavelength Division Multiplexing）を利用した光ネットワークが広く普及している。波長多重技術は、波長が異なる複数の光信号を多重して伝送する技術である。波長多重技術によると、例えば、伝送速度４０（Ｇｂｐｓ）×４０波の光信号の多重化を行い、１．６（Ｔｂｐｓ）の波長多重光信号（以下、「多重光信号」と表記）として伝送することが可能である。
【０００３】
ＷＤＭ技術を利用した光伝送装置として、例えばＲＯＡＤＭ（Reconfigurable Optical Add-Drop Multiplexer）装置が知られている。ＲＯＡＤＭ装置には、伝送路から入力された多重光信号を増幅する光増幅器が設けられている。光増幅器は、伝送路における伝送損失（ロス）を補償して、多重光信号の所定のパワーを確保するため、利得が制御される。
【０００４】
光増幅器の利得制御は、例えば、多重光信号を増幅する２つのＥＤＦＡ（Erbium-Doped Fiber Amplifier）の間に設けられた可変光減衰器（VOA : Variable Optical Attenuator）の減衰量を調整することにより行われる。しかし、幅広い伝送損失に対応するように利得の制御範囲を広げる場合、可変光減衰器の減衰量の可変域を広げる必要が生じ、光増幅器の雑音指数（NF : Noise Figure）が悪化する。
【０００５】
このため、光増幅器には、増幅特性が相違する複数のＥＤＦＡから適切なものを光スイッチなどで選択する構成（例えば特許文献１，２参照）が設けられ、可変光減衰器の減衰量を調整することにより利得の制御範囲が広げられる。
【先行技術文献】
【特許文献】
【０００６】
【特許文献１】特開平５−２１８９７４号公報
【特許文献２】特表平１１−５０９０７０号公報
【発明の概要】
【発明が解決しようとする課題】
【０００７】
光増幅器の利得は、多重光信号に含まれる個々の波長光のパワーに差が生じないように、波長によらず、一定になるように平坦化されるのが望ましい。しかし、上述したように、多重光信号を増幅するＥＤＦＡが、複数のＥＤＦＡから選択される場合、選択されたＥＤＦＡに応じて増幅特性が異なるため、利得の平坦化が難しいという問題がある。
【０００８】
そこで本件は上記の課題に鑑みてなされたものであり、波長ごとの利得偏差を低減する光増幅器、光伝送装置、及び光中継装置を提供することを目的とする。
【課題を解決するための手段】
【０００９】
本明細書に記載の光増幅器は、通過する波長多重光信号を増幅するための増幅特性が相違する複数の経路が設けられた増幅部と、前記複数の経路から前記波長多重光信号が通過する通過経路を決定する決定部と、前記増幅部に入力される前記波長多重光信号の入力パワーを検出する入力側検出部と、前記決定部により決定された前記通過経路を通過することにより増幅された前記波長多重光信号を減衰させる可変光減衰器と、前記可変光減衰器により減衰した前記波長多重光信号の出力パワーを検出する出力側検出部と、前記入力側検出部により検出された前記入力パワー及び前記出力側検出部により検出された前記出力パワーに基づき前記増幅部の利得が一定となるように前記増幅部を制御する制御部と、前記入力側検出部により検出された前記入力パワーに応じて前記可変光減衰器の減衰量を調整する調整部とを有し、前記調整部は、前記入力パワーと前記減衰量の関係を前記通過経路に応じて切り替える。
【００１０】
本明細書に記載の光伝送装置は、波長多重光信号を増幅する光増幅器と、前記光増幅器により増幅された前記波長多重光信号に対し、光信号の挿入及び分岐の少なくとも一方を行う光分岐挿入部とを有し、前記光増幅器は、通過する前記波長多重光信号を増幅するための増幅特性が相違する複数の経路が設けられた増幅部と、前記複数の経路から前記波長多重光信号が通過する通過経路を決定する決定部と、前記増幅部に入力される前記波長多重光信号の入力パワーを検出する入力側検出部と、前記決定部により決定された前記通過経路を通過することにより増幅された前記波長多重光信号を減衰させる可変光減衰器と、前記可変光減衰器により減衰した前記波長多重光信号の出力パワーを検出する出力側検出部と、前記入力側検出部により検出された前記入力パワー及び前記出力側検出部により検出された前記出力パワーに基づき前記増幅部の利得が一定となるように前記増幅部を制御する制御部と、前記入力側検出部により検出された前記入力パワーに応じて前記可変光減衰器の減衰量を調整する調整部とを有し、前記調整部は、前記入力パワーと前記減衰量の関係を前記通過経路に応じて切り替える。
【００１１】
本明細書に記載の光中継装置は、波長多重光信号を光増幅器により増幅して他装置に中継し、前記光増幅器は、通過する前記波長多重光信号を増幅するための増幅特性が相違する複数の経路が設けられた増幅部と、前記複数の経路から前記波長多重光信号が通過する通過経路を決定する決定部と、前記増幅部に入力される前記波長多重光信号の入力パワーを検出する入力側検出部と、前記決定部により決定された前記通過経路を通過することにより増幅された前記波長多重光信号を減衰させる可変光減衰器と、前記可変光減衰器により減衰した前記波長多重光信号の出力パワーを検出する出力側検出部と、前記入力側検出部により検出された前記入力パワー及び前記出力側検出部により検出された前記出力パワーに基づき前記増幅部の利得が一定となるように前記増幅部を制御する制御部と、前記入力側検出部により検出された前記入力パワーに応じて前記可変光減衰器の減衰量を調整する調整部とを有し、前記調整部は、前記入力パワーと前記減衰量の関係を前記通過経路に応じて切り替える。
【発明の効果】
【００１２】
波長ごとの利得偏差を低減できる。
【図面の簡単な説明】
【００１３】
【図１】第１比較例の光増幅器を示す構成図である。
【図２】第１比較例における平均入力パワーに対する減衰量の関係を示すグラフである。
【図３】第２比較例の光増幅器を示す構成図である。
【図４】第１実施例の光増幅器を示す構成図である。
【図５】平均入力パワーに対する減衰量の関係の一例を示すグラフである。
【図６】第２実施例の光増幅器を示す構成図である。
【図７】平均入力パワーに対する雑音指数（ＮＦ）の関係の一例を示すグラフである。
【図８】平均入力パワーに対する雑音量の関係の一例を示すグラフである。
【図９】第３実施例の光増幅器を示す構成図である。
【図１０】第４実施例の光増幅器を示す構成図である。
【図１１】平均入力パワーに対する減衰量の関係の他例を示すグラフである。
【図１２】光伝送装置の一例を示す構成図である。
【図１３】光中継装置の一例を示す構成図である。
【発明を実施するための形態】
【００１４】
（比較例）
図１は第１比較例の光増幅器を示す構成図である。光増幅器は、光分波器１０４，１０５と、ＰＤ（Photo Detector）１０６，１０７と、ＥＤＦＡ１００，１０１と、可変光減衰器１０３と、利得制御部１１０ａと、平均化処理部１１１と、減衰量調整部１１４ａとを有する。利得制御部１１０ａ、平均化処理部１１１、及び減衰量調整部１１４ａは、例えば論理回路などにより構成される。なお、図１において、実線の矢印は光信号の経路を示し、破線の矢印は電気信号の経路を示す。
【００１５】
光増幅器は、後述するように光伝送装置や光中継装置などに用いられ、伝送路Ｄ１から入力された多重光信号Ｓｗを増幅して伝送路Ｄ２に出力する。なお、伝送路Ｄ１，Ｄ２は、例えば光ファイバであり、装置内のユニット間または自装置と他装置の間を接続する。
【００１６】
光分波器１０４は、例えば光スプリッタであり、伝送路Ｄ１から入力された多重光信号Ｓｗを分波して、ＰＤ１０６とＥＤＦＡ１００に出力する。ＥＤＦＡ１００は、光分波器１０４から入力された多重光信号Ｓｗを増幅して可変光減衰器１０３に出力する。
【００１７】
可変光減衰器１０３は、ＥＤＦＡ１００から入力された多重光信号Ｓｗを減衰させる。可変光減衰器１０３の減衰量Ａｔｔは、減衰量調整部１１４ａにより調整される。
【００１８】
ＥＤＦＡ１０１は、可変光減衰器１０３から入力された多重光信号Ｓｗを増幅して、光分波器１０５に出力する。ＥＤＦＡ１００，１０１は、例えばＥＤＦ（Erbium-Doped Fiber）、合分波器、ＬＤ（Laser Diode）などの励起光源、アイソレータ、及びＧＥＱ（Gain Equalizer）などを有する。なお、多重光信号Ｓｗを増幅する手段は、ＥＤＦＡ１００，１０１に限定されず、他の増幅モジュールが用いられてもよい。
【００１９】
光分波器１０５は、例えば光スプリッタであり、ＥＤＦＡ１０１から入力された多重光信号Ｓｗを分波してＰＤ１０７と伝送路Ｄ２に出力する。
【００２０】
ＰＤ１０６は、入力側検出部の一例であり、ＥＤＦＡ１００に入力される多重光信号Ｓｗの入力パワーＰｉｎを検出して平均化処理部１１１と利得制御部１１０ａに通知する。ＰＤ１０７は、出力側検出部の一例であり、ＥＤＦＡ１０１により増幅された多重光信号Ｓｗの出力パワーＰｏｕｔを検出して利得制御部１１０ａに通知する。
【００２１】
利得制御部１１０ａは、ＰＤ１０６により検出された入力パワーＰｉｎ及びＰＤ１０７により検出された出力パワーＰｏｕｔに基づき光増幅器の利得が一定となるようにＥＤＦＡ１００，１０１を制御する。利得は、可変光減衰器１０３の減衰量Ａｔｔが小さいほど高くなり、減衰量Ａｔｔが大きいほど低くなる。利得制御部１１０ａは、例えば、多重光信号Ｓｗの波長数が変化しても、利得を一定に維持するように制御を行う。
【００２２】
減衰量調整部１１４ａは、ＰＤ１０６により検出された多重光信号Ｓｗの入力パワーＰｉｎに応じて可変光減衰器１０３の減衰量Ａｔｔを調整する。より具体的には、減衰量調整部１１４ａは、平均化処理部１１１により算出された平均入力パワーＰｃｈに応じて可変光減衰器１０３の減衰量を調整する。
【００２３】
平均化処理部１１１は、不図示の制御ユニットから波長数ｎを取得して、ＰＤ１０６により検出された入力パワーＰｉｎの１波長（つまり１チャネル）当たりの平均入力パワーＰｃｈ（＝Ｐｉｎ／ｎ）を算出する。算出された平均入力パワーＰｃｈは減衰量調整部１１４ａに通知される。なお、波長数ｎは、多重光信号Ｓｗに含まれている波長数、つまり使用中のチャネル数を示す。
【００２４】
Ａｔｔ＝Ｐｃｈ＋α     ・・・（１）
【００２５】
減衰量調整部１１４ａは、一例として、上記の式（１）から可変光減衰器１０３の減衰量Ａｔｔを調整する。式（１）において、αは、ＥＤＦＡ１００の増幅特性に応じて決定される補正値である。すなわち、減衰量Ａｔｔは、平均入力パワーＰｃｈと補正値αの和として算出される。
【００２６】
図２は、第１比較例における平均入力パワーＰｃｈに対する減衰量Ａｔｔの関係を示すグラフである。本例において、補正値αは、一例として３０（ｄＢｍ）とする。このため、減衰量Ａｔｔは、平均入力パワーＰｃｈが−３０（ｄＢｍ）のときに０（ｄＢ）となる。減衰量Ａｔｔは、式（１）に従い、平均入力パワーＰｃｈの増加に伴って増加する。減衰量調整部１１４ａは、入力パワーＰｃｈの変動に応じて減衰量Ａｔｔを調整することで、ＥＤＦＡ１００とＥＤＦＡ１０１の利得の和を一定に保つことができ、ＥＤＦの利得が変化することによる利得偏差の発生を抑えることができる。
【００２７】
このように、光増幅器の利得制御は、可変光減衰器１０３の減衰量Ａｔｔを調整することにより行われる。しかし、幅広い伝送損失に対応するように利得の制御範囲を広げる場合、可変光減衰器１０３の減衰量Ａｔｔの可変域を広げる必要が生じ、光増幅器の雑音指数（NF）が悪化する。
【００２８】
このため、光増幅器には、以下に述べるように、増幅特性が相違する複数のＥＤＦＡから適切なものを光スイッチなどで選択する構成が設けられ、可変光減衰器１０３の減衰量Ａｔｔを調整することにより利得の制御範囲が広げられる。
【００２９】
図３は第２比較例の光増幅器を示す構成図である。図３において、図１と共通する構成については同一の符号を付し、その説明を省略する。
【００３０】
光増幅器は、光分波器１０４，１０５と、ＰＤ１０６，１０７と、ＥＤＦＡ１００〜１０２と、可変光減衰器１０３と、光スイッチ１０８，１０９と、利得制御部１１０と、平均化処理部１１１と、減衰量調整部１１４ａとを有する。利得制御部１１０、平均化処理部１１１、及び減衰量調整部１１４ａは、例えば論理回路などにより構成される。
【００３１】
ＥＤＦＡ１００〜１０２は、多重光信号Ｓｗを増幅する。ＥＤＦＡ１００から出力された多重光信号Ｓｗは、光スイッチ１０８，１０９の切り替え状態に応じた経路Ｒ１，Ｒ２を通過して可変光減衰器１０３に入力される。経路Ｒ１は、ＥＤＦＡ１００，１０２を経由するものであり、経路Ｒ２は、ＥＤＦＡ１００だけを経由するものである。このため、経路Ｒ１，Ｒ２は、多重光信号Ｓｗを増幅するための増幅特性が相違する。なお、ＥＤＦＡ１００，１０２と光スイッチ１０８，１０９は、増幅部Ｚに含まれる。
【００３２】
光スイッチ１０８，１０９は、切り替え信号ＳＥＬ１，ＳＥＬ２に従って切り替え状態がそれぞれ制御される。つまり、光スイッチ１０８，１０９は、切り替え信号ＳＥＬ１，ＳＥＬ２に従って、経路Ｒ１，Ｒ２から多重光信号Ｓｗが通過する通過経路を切り替える。なお、本例の光減衰器には、通過経路の候補として２つの経路Ｒ１，Ｒ２が設けられているが、通過経路の候補の経路数に制限はない。
【００３３】
このように、多重光信号Ｓｗの通過経路を複数の経路Ｒ１，Ｒ２から選択することにより、多重光信号Ｓｗの平均入力パワーＰｃｈの有効範囲を広げることができる。なお、本例において、経路Ｒ２上には、ＥＤＦＡ１００のみが設けられているが、ＥＤＦＡ１０２と並列関係となるように、光スイッチ１０８，１０９の間に他のＥＤＦＡが設けられてもよい。
【００３４】
また、利得制御部１１０は、制御部の一例であり、第１比較例の利得制御部１１０ａと同様に、ＰＤ１０６により検出された入力パワーＰｉｎ及びＰＤ１０７により検出された出力パワーＰｏｕｔに基づきＥＤＦＡ１００〜１０２の利得が一定となるようにＥＤＦＡ１００〜１０２を制御する。光増幅器の利得は、多重光信号Ｓｗに含まれる個々の波長光のパワーに差が生じないように、波長によらず、一定になるように平坦化されるのが望ましい。
【００３５】
しかし、本例のように、多重光信号Ｓｗの通過経路が複数の径路Ｒ１，Ｒ２から決定される場合（つまり多重光信号Ｓｗを増幅する増幅モジュールが選択される場合）、決定された通過経路により増幅特性が異なるため、利得の平坦化が難しいという問題がある。
【００３６】
そこで、実施例では、決定された多重光信号Ｓｗの通過経路に応じて、多重光信号Ｓｗの入力パワーＰｉｎと減衰量Ａｔｔの関係を切り替えることで、波長ごとの利得の偏差を低減する。
【００３７】
（第１実施例）
図４は第１実施例の光増幅器を示す構成図である。図４において、図３と共通する構成については同一の符号を付して、その説明を省略する。
【００３８】
光増幅器は、光分波器１０４，１０５と、ＰＤ１０６，１０７と、ＥＤＦＡ１００〜１０２と、可変光減衰器１０３と、光スイッチ１０８，１０９と、利得制御部１１０と、平均化処理部１１１と、減衰量調整部１１４と、補正値選択部１１５とを有する。また、光増幅器は、通過経路決定部１１２と、閾値保持部１１３とを有する。利得制御部１１０、平均化処理部１１１、減衰量調整部１１４、補正値選択部１１５、及び通過経路決定部１１２は、例えば論理回路などにより構成され、閾値保持部１１３は、例えばメモリなどにより構成される。
【００３９】
通過経路決定部１１２は、決定部の一例であり、ＰＤ１０６により検出された入力パワーＰｉｎに応じて経路Ｒ１、Ｒ２から多重光信号Ｓｗの通過経路を決定する。より具体的には、通過経路決定部１１２は、平均化処理部１１１から平均入力パワーＰｃｈを取得し、閾値保持部１１３に保持された所定の閾値ＴＨを取得する。通過経路決定部１１２は、平均入力パワーＰｃｈと閾値ＴＨを比較して、その比較結果に応じて、経路Ｒ１，Ｒ２から多重光信号Ｓｗの通過経路を決定する。
【００４０】
通過経路決定部１１２は、例えば、Ｐｃｈ≦ＴＨの場合、経路Ｒ１を通過経路として決定し、Ｐｃｈ＞ＴＨの場合、経路Ｒ２を通過経路として決定する。なお、閾値ＴＨは、例えば−３０（ｄＢｍ）である。
【００４１】
通過経路決定部１１２は、決定した通過経路に応じた切り替え信号ＳＥＬ１，ＳＥＬ２を光スイッチ１０８，１０９にそれぞれ出力する。これにより、光スイッチ１０８，１０９は、決定された通過経路を構成するように切り替えられる。したがって、多重光信号Ｓｗは、入力パワーＰｉｎに応じた適切な増幅特性のＥＤＦＡ１００，１０２により増幅される。
【００４２】
また、通過経路決定部１１２は、決定した通過経路を示す経路情報Ｓｃを補正値選択部１１５に出力する。補正値選択部１１５は、経路情報Ｓｃに応じた補正値αを減衰量調整部１１４に通知する。補正値選択部１１５は、例えば、経路Ｒ１が通過経路として決定された場合、補正値α＝４５（ｄＢｍ）とし、経路Ｒ２が通過経路として決定された場合、補正値α＝３０（ｄＢｍ）とする。
【００４３】
減衰量調整部１１４は、調整部の一例であり、ＰＤ１０６により検出された入力パワーＰｉｎに応じて可変光減衰器１０３の減衰量Ａｔｔを調整する。より具体的には、減衰量調整部１１４は、上記の式（１）に従い、平均化処理部１１１から取得した平均入力パワーＰｃｈ、及び補正値選択部１１５から通知された補正値αから可変光減衰器１０３の減衰量Ａｔｔを算出する。
【００４４】
補正値選択部１１５から通知される補正値αは通過経路に応じて選択される。このため、減衰量調整部１１４は、補正値αを通過経路に応じて切り替える。したがって、減衰量調整部１１４は、補正値αの選択により入力パワーＰｉｎ、つまり平均入力パワーＰｃｈと減衰量Ａｔｔの関係を通過経路に応じて容易に切り替えることができる。
【００４５】
図５は、平均入力パワーＰｃｈに対する減衰量Ａｔｔの関係の一例を示すグラフである。本例では、経路切り替えの閾値ＴＨを−３０（ｄＢｍ）とし、経路Ｒ１が通過経路として決定された場合の補正値αを４５（ｄＢｍ）とし、経路Ｒ２が通過経路として決定された場合の補正値αを３０（ｄＢｍ）とする。
【００４６】
符号Ｐ１は、経路Ｒ１が通過経路として決定された場合の平均入力パワーＰｃｈと減衰量Ａｔｔの関係を示し、符号Ｐ２は、経路Ｒ２が通過経路として決定された場合の平均入力パワーＰｃｈと減衰量Ａｔｔの関係を示す。減衰量Ａｔｔは、前者の場合、平均入力パワーＰｃｈが−４５（ｄＢｍ）のときに０（ｄＢ）となり（ただし、下限値は−４４（ｄＢｍ））、後者の場合、平均入力パワーＰｃｈが−３０（ｄＢｍ）のときに０（ｄＢ）となる。符号Ｐ１，Ｐ２が示す関係は、切り替え点である閾値ＴＨ＝−３０（ｄＢｍ）を境界として、使い分けられる。
【００４７】
このように、減衰量調整部１１４は、補正値αの選択により入力パワーＰｉｎと減衰量Ａｔｔの関係を、通過経路決定部１１２により決定された通過経路に応じて切り替える。このため、可変光減衰器１０３の減衰量Ａｔｔは、通過経路における多重光信号Ｓｗの増幅特性に応じて適切に調整される。したがって、光増幅器の利得は、通過経路が切り替えられても、その増幅特性に応じて変化しないので、波長ごとの利得偏差が低減される。例えば、ＥＤＦＡ１０２は、約１５（ｄＢ）の利得を出したときに利得偏差が小さくなるように設計されているため、減衰量Ａｔｔの切り替え点で１５（ｄＢ）だけ補正値を切り替えている。
【００４８】
（第２実施例）
ＥＤＦＡ１００〜１０２は、雑音であるＡＳＥ（Amplified Spontaneous Emission）光（自然放出光）を出力する。このため、利得制御部１１０は、利得制御の精度を向上するため、ＡＳＥ光のパワー、つまり雑音量を考慮して制御を行ってもよい。
【００４９】
図６は第２実施例の光増幅器を示す構成図である。図６において、図４と共通する構成については同一の符号を付して、その説明を省略する。
【００５０】
光増幅器は、光分波器１０４，１０５と、ＰＤ１０６，１０７と、ＥＤＦＡ１００〜１０２と、可変光減衰器１０３と、光スイッチ１０８，１０９と、利得制御部１１０ｂと、平均化処理部１１１と、減衰量調整部１１４と、補正値選択部１１５とを有する。また、光増幅器は、通過経路決定部１１２と、閾値保持部１１３と、データ保持部１１６と、雑音量算出部１１７とを有する。利得制御部１１０ｂ、平均化処理部１１１、減衰量調整部１１４、補正値選択部１１５、通過経路決定部１１２、及び雑音量算出部１１７は、例えば論理回路などにより構成され、閾値保持部１１３とデータ保持部１１６は、例えばメモリなどにより構成される。
【００５１】
データ保持部１１６は、平均入力パワーＰｃｈとＥＤＦＡ１００〜１０２の雑音指数（ＮＦ）の関係を示す複数種類のデータＤａ，Ｄｂを保持する。雑音量算出部１１７は、算出部の一例であり、通過経路決定部１１２により決定された通過経路に応じて複数種類のデータＤａ，Ｄｂから１種類のデータを選択し、その選択した１種類のデータに基づいて、平均入力パワーＰｃｈから雑音量を算出する。
【００５２】
図７は、平均入力パワーＰｃｈに対する雑音指数（ＮＦ）（ｄＢ）の関係の一例を示すグラフである。データ保持部１１６は、一例として２種類のデータＤａ，Ｄｂを保持するが、３種類以上であってもよい。各データＤａ，Ｄｂの雑音指数は、平均入力パワーＰｃｈの異なる数値範囲において、平均入力パワーＰｃｈに対し増加する。
【００５３】
２種類のデータＤａ，Ｄｂは、図５と同様の切り替え点を境として使い分けられる。より具体的には、雑音量算出部１１７は、経路Ｒ１が通過経路として決定された場合、一方のデータＤａを参照することにより、平均入力パワーＰｃｈから雑音指数を算出し、経路Ｒ２が通過経路として決定された場合、他方のデータＤｂを参照することにより、平均入力パワーＰｃｈから雑音指数を算出する。
【００５４】
このように、雑音量算出部１１７は、通過経路に応じて、参照するデータＤａ，Ｄｂを切り替える。このため、通過経路の増幅特性に応じた適切なデータＤａ，Ｄｂに基づいて、雑音指数が高精度に算出される。
【００５５】
雑音量算出部１１７は、平均入力パワーＰｃｈに所定値（例えば５８）を加えて得た値から雑音指数を減算することで、ＯＳＮＲ（Optical Signal-to-Noise Ratio）（ｄＢ）を算出する。
【００５６】
Ｎｐ＝１０×ｌｏｇ（λ／０．１）＋Ｐｏｕｔ／ｎ−ＳＮ  ・・・（２）
【００５７】
雑音量算出部１１７は、上記の式（２）から雑音量Ｎｐ（ｄＢｍ）を算出する。式（２）において、λは多重光信号Ｓｗの帯域（ｎｍ）であり、ＳＮはＯＳＮＲ（ｄＢ）である。また、出力パワーＰｏｕｔはＰＤ１０７から取得され、波長数ｎは不図示の制御ユニットから取得される。雑音量算出部１１７は、算出した雑音量Ｎｐを利得制御部１１０ｂに通知する。
【００５８】
利得制御部１１０ｂは、制御部の一例であり、第１比較例の利得制御部１１０ａと同様に、ＰＤ１０６により検出された入力パワーＰｉｎ及びＰＤ１０７により検出された出力パワーＰｏｕｔに基づきＥＤＦＡ１００〜１０２の利得が一定となるようにＥＤＦＡ１００〜１０２を制御する。利得制御部１１０ｂは、雑音量算出部１１７により算出された雑音量に基づいて利得の目標値Ｇを算出する。
【００５９】
Ｇ＝１０×ｌｏｇ｛１０（Ｐｏｕｔ／１０）−１０（Ｎｐ／１０）｝−Ｐｉｎ ・・・（３）
【００６０】
利得制御部１１０ｂは、上記の式（３）から利得の目標値Ｇを算出する。このため、利得制御部１１０ｂは、多重光信号Ｓｗの通過経路によらず、高精度に利得を一定に制御できる。なお、利得制御部１１０ｂは、仮に雑音量Ｎｐを考慮しない場合、出力パワーＰｏｕｔと入力パワーＰｉｎの差分から利得の目標値Ｇを算出する。
【００６１】
また、データ保持部１１６は、平均入力パワーＰｃｈとＥＤＦＡ１００〜１０２の雑音指数（ＮＦ）の関係に代えて、平均入力パワーＰｃｈとＥＤＦＡ１００〜１０２の雑音量Ｎｐを示す複数種類のデータＤａ’，Ｄｂ’を保持してもよい。
【００６２】
図８は平均入力パワーＰｃｈに対する雑音量Ｎｐの関係の一例を示すグラフである。各データＤａ’，Ｄｂ’の雑音量Ｎｐは、平均入力パワーＰｃｈの異なる数値範囲において、平均入力パワーＰｃｈに対し減少する。
【００６３】
２種類のデータＤａ’，Ｄｂ’は、図５と同様の切り替え点を境として使い分けられる。より具体的には、雑音量算出部１１７は、経路Ｒ１が通過経路として決定された場合、一方のデータＤａ’を参照することにより、平均入力パワーＰｃｈから雑音量Ｎｐを算出し、経路Ｒ２が通過経路として決定された場合、他方のデータＤｂ’を参照することにより、平均入力パワーＰｃｈから雑音量Ｎｐを算出する。
【００６４】
このように、雑音量算出部１１７は、通過経路に応じて、参照するデータＤａ’，Ｄｂ’を切り替える。このため、通過経路の増幅特性に応じた適切なデータＤａ’，Ｄｂ’に基づいて、雑音量Ｎｐが高精度に算出される。
【００６５】
また、図８の場合、雑音量算出部１１７は、上記の式（３）による計算を行う必要がなく、データＤａ’，Ｄｂ’から容易に雑音量Ｎｐを算出できる。
【００６６】
（第３実施例）
光増幅器は、多重光信号Ｓｗの入力パワーＰｉｎが異常である場合、ネットワークの監視装置に通知するため、警報を検出してもよい。このとき、入力パワーＰｉｎの正常値の範囲は、多重光信号Ｓｗの通過経路の増幅特性に応じて異なるため、以下に述べるように、通過経路に応じた基準により入力パワーＰｉｎの正常性を判定するとよい。
【００６７】
図９は第３実施例の光増幅器を示す構成図である。図９において、図４と共通する構成については同一の符号を付して、その説明を省略する。
【００６８】
光増幅器は、光分波器１０４，１０５と、ＰＤ１０６，１０７と、ＥＤＦＡ１００〜１０２と、可変光減衰器１０３と、光スイッチ１０８，１０９と、利得制御部１１０と、平均化処理部１１１と、減衰量調整部１１４と、補正値選択部１１５とを有する。また、光増幅器は、通過経路決定部１１２と、閾値保持部１１３と、数値情報保持部１１８と、入力異常判定部１１９とを有する。利得制御部１１０、平均化処理部１１１、減衰量調整部１１４、補正値選択部１１５、通過経路決定部１１２、及び入力異常判定部１１９は、例えば論理回路などにより構成され、閾値保持部１１３と数値情報保持部１１８は、例えばメモリなどにより構成される。
【００６９】
数値情報保持部１１８は、相違する複数の数値範囲を示す数値情報を保持する。この数値範囲は、経路Ｒ１，Ｒ２ごとの増幅特性に応じた平均入力パワーＰｃｈの正常値の範囲である。
【００７０】
入力異常判定部１１９は、判定部の一例であり、通過経路決定部１１２により決定された通過経路に応じて、数値情報保持部１１８に保持された複数の数値範囲から数値範囲を選択し、ＰＤ１０６により検出された入力パワーＰｉｎが、その選択した数値範囲内であるか否かを判定する。より具体的には、入力異常判定部１１９は、平均化処理部１１１から通知された平均入力パワーＰｃｈが、通過経路に応じた数値範囲内であるか否かを判定する。
【００７１】
入力異常判定部１１９は、平均入力パワーＰｃｈがその数値範囲内である場合、多重光信号Ｓｗの入力パワーＰｉｎが正常であると判定する。また、入力異常判定部１１９は、平均入力パワーＰｃｈがその数値範囲外である場合、多重光信号Ｓｗの入力パワーＰｉｎが異常であると判定し、ネットワーク管理装置などの警報を出力する。
【００７２】
より具体的には、数値情報保持部１１８は、数値情報として、数値範囲の上限値Ｕａ，Ｕｂ及び下限値Ｌａ，Ｌｂを保持する。入力異常判定部１１９は、通過経路決定部１１２により決定された通過経路が経路Ｒ１である場合、上限値Ｕａ及び下限値Ｌａに基づいて入力異常の判定を行う。このため、入力パワーＰｉｎ（Ｐｃｈ）は、Ｌａ≦Ｐｃｈ≦Ｕａの場合に正常と判定され、Ｐｃｈ＜ＬａまたはＵａ＜Ｐｃｈの場合に異常と判定される。
【００７３】
一方、入力異常判定部１１９は、通過経路決定部１１２により決定された通過経路が経路Ｒ２である場合、上限値Ｕｂ及び下限値Ｌｂに基づいて入力異常の判定を行う。このため、入力パワーＰｉｎ（Ｐｃｈ）は、Ｌｂ≦Ｐｃｈ≦Ｕｂの場合に正常と判定され、Ｐｃｈ＜ＬｂまたはＵｂ＜Ｐｃｈの場合に異常と判定される。なお、上限値Ｕａ，Ｕｂ及び下限値Ｌａ，Ｌｂについて、Ｌａ≦Ｌｂ≦Ｕａ≦Ｕｂの関係が成立する。
【００７４】
したがって、入力異常判定部１１９は、多重光信号Ｓｗの通過経路に応じた増幅特性に適した数値範囲に基づいて、多重光信号Ｓｗの入力パワーＰｉｎの正常性を正確に判定することができる。
【００７５】
（第４実施例）
これまで述べた実施例において、光増幅器が実装された装置の運用中、多重光信号Ｓｗの通過経路が光スイッチ１０８，１０９により切り替えられた場合、多重光信号Ｓｗの瞬断が発生する。多重光信号Ｓｗの瞬断は、通信サービスの品質に影響するため、好ましくない。
【００７６】
そこで、本実施例の光増幅器は、以下に述べるように、装置の運用前に他装置の光増幅器から、多重光信号Ｓｗとは異なる試験光を受信して、試験光の入力パワーに基づいて多重光信号Ｓｗの通過経路を決定する。
【００７７】
図１０は第４実施例の光増幅器を示す構成図である。図１０において、図４と共通する構成については同一の符号を付して、その説明を省略する。また、図１０において、一点鎖線の枠は実施例の光増幅器を示し、光増幅器９は、実施例の光増幅器とは異なる他装置に実装されている。
【００７８】
光増幅器は、光分波器１０４，１０５と、ＰＤ１０６ｃ，１０７と、ＥＤＦＡ１００〜１０２と、可変光減衰器１０３と、光スイッチ１０８，１０９と、利得制御部１１０と、平均化処理部１１１ｃと、減衰量調整部１１４と、補正値選択部１１５とを有する。また、光増幅器は、通過経路決定部１１２ｃと、閾値保持部１１３とを有する。利得制御部１１０、平均化処理部１１１ｃ、減衰量調整部１１４、補正値選択部１１５、及び通過経路決定部１１２ｃは、例えば論理回路などにより構成され、閾値保持部１１３は、例えばメモリなどにより構成される。なお、ＰＤ１０６ｃ、平均化処理部１１１ｃ、及び通過経路決定部１１２ｃは、上記のＰＤ１０６、平均化処理部１１１、及び通過経路決定部１１２と同様の機能を有するとともに、以下に述べるように試験光Ｓｔに対応する。
【００７９】
光増幅器９は、伝送路Ｄ１を介しＡＳＥ光などの試験光Ｓｔを出力する。試験光Ｓｔは、光分波器１０４により分波されてＰＤ１０６ｃに入力される。ＰＤ１０６ｃは、ＥＤＦＡ１００に多重光信号Ｓｗが入力されていないとき、他の光増幅器９からＥＤＦＡ１００に入力される試験光Ｓｔの入力パワーＰｉｎ’を検出する。
【００８０】
平均化処理部１１１ｃは、ＰＤ１０６ｃにより検出された入力パワーＰｉｎ’の１波長（つまり１チャネル）当たりの平均入力パワーＰｃｈ’（＝Ｐｉｎ’／ｎ）を算出する。算出された平均入力パワーＰｃｈ’は通過経路決定部１１２ｃに通知される。
【００８１】
通過経路決定部１１２ｃは、ＰＤ１０６ｃにより検出された試験光Ｓｔの入力パワーＰｉｎ’に応じて経路Ｒ１，Ｒ２から多重光信号Ｓｗの通過経路を決定する。より具体的には、通過経路決定部１１２ｃは、平均化処理部１１１ｃから取得した平均入力パワーＰｃｈ’及び閾値保持部１１３から取得した閾値ＴＨに基づき通過経路を決定する。つまり、通過経路決定部１１２ｃは、例えば、Ｐｃｈ’≦ＴＨの場合、経路Ｒ１を通過経路として決定し、Ｐｃｈ’＞ＴＨの場合、経路Ｒ２を通過経路として決定する。
【００８２】
このように、本実施例の光増幅器は、装置の運用前に他の光増幅器９からの試験光Ｓｔに基づいて多重光信号Ｓｗの通過経路を決定する。このため、本実施例の光増幅器は、装置の運用中に多重光信号Ｓｗの通過経路を切り替えることがなく、瞬断が発生しない。
【００８３】
また、装置の運用中に多重光信号Ｓｗの入力パワーＰｉｎが変動して、通過経路の切り替え点（図５参照）に近い値となった場合でも、波長ごとの利得偏差を低減できるように、減衰量Ａｔｔの制御に一定の余裕を設けてもよい。
【００８４】
図１１は平均入力パワーＰｃｈに対する減衰量Ａｔｔの関係の他例を示すグラフである。図１１において、符号Ｐ１’は、経路Ｒ１が通過経路として決定された場合の平均入力パワーＰｃｈと減衰量Ａｔｔの関係を示し、符号Ｐ２’は、経路Ｒ２が通過経路として決定された場合の平均入力パワーＰｃｈと減衰量Ａｔｔの関係を示す。また、符号Ｘ１は、図５に示された平均入力パワーＰｃｈの上限値（−１６（ｄＢｍ／ｃｈ））を示し、符号Ｘ２は、図５に示された平均入力パワーＰｃｈの下限値（−４４（ｄＢｍ／ｃｈ））を示す。
【００８５】
本例では、入力パワーＰｉｎが減少または増加して、切り替え点（−３０（ｄＢｍ／ｃｈ））に近づいても、減衰量Ａｔｔは０（ｄＢ）に対して余裕（符号Ｍ１参照）があるため、問題なく利得制御が行われる。また、入力パワーＰｉｎが減少して下限値Ｘ２に近づいた場合、または入力パワーＰｉｎが増加して上限値Ｘ１に近づいた場合、減衰量Ａｔｔは可変光減衰器１０３の調整範囲に対して余裕（符号Ｍ２，Ｍ３参照）があるため、やはり、問題なく利得制御が行われる。
【００８６】
なお、上記の第１〜第４実施例は、個別に実施されてもよいし、それぞれの少なくとも一部の構成を組み合わせた形態で実施されてもよい。
【００８７】
（適用装置）
次に、実施例の光増幅器を適用した装置について述べる。以下の説明では、光増幅器を適用した装置の一例として、光伝送装置及び光中継装置を挙げる。
【００８８】
図１２は光伝送装置の一例を示す構成図である。本例では、光伝送装置２としてＲＯＡＤＭ装置を挙げるが、これに限定されない。
【００８９】
光伝送装置２は、入力側光増幅器２０と、光分岐挿入部２１と、出力側光増幅器２２と、複数の光送受信器（ＴＰ）２３，２４とを有する。入力側光増幅器２０は、上述した実施例の光増幅器であり、伝送路Ｄ３から入力された多重光信号Ｓｗを増幅する。
【００９０】
光分岐挿入部２１は、入力側光増幅器２０により増幅された多重光信号Ｓｗに対し、光信号の挿入及び分岐を行う。より具体的には、光分岐挿入部２１は、不図示の制御ユニットからの設定に従って、多重光信号Ｓｗから任意の波長λoutの光信号を抽出して光送受信器２３に出力し、光送受信器２４から任意の波長λinの光信号を多重光信号Ｓｗに合波して出力側光増幅器２２に出力する。
【００９１】
光分岐挿入部２１は、例えば、任意の波長を選択する波長選択スイッチ（WSS: Wavelength Selective Switch）、光信号を合波する光カプラ、及び光信号を分波する光スプリッタなどを備える。なお、光分岐挿入部２１は、光信号の分岐及び挿入の一方だけを行ってもよい。
【００９２】
出力側光増幅器２２は、光分岐挿入部２１から入力された多重光信号Ｓｗを増幅して伝送路Ｄ４に出力する。光伝送装置によると、波長が相違する複数の光信号を波長多重し、多重光信号Ｓｗとして伝送できるので、大容量のデータの伝送が可能となる。
【００９３】
また、図１３は光中継装置の一例を示す構成図である。光中継装置３は、上述した実施例の光増幅器３０を有し、伝送路Ｄ５から入力された多重光信号Ｓｗを光増幅器３０により増幅して伝送路Ｄ６を介し他装置に中継する。つまり、光増幅器３０は、伝送路Ｄ５から入力された多重光信号Ｓｗを光増幅器３０により増幅する。光中継装置によると、例えば隣接する光伝送装置の間が長距離の伝送路で結ばれている場合でも、多重光信号Ｓｗを中継することができる。
【００９４】
これまで述べたように、実施例に係る光増幅器は、増幅部Ｚと、通過経路決定部１１２，１１２ｃと、ＰＤ１０６，１０６ｃ，１０７と、可変光減衰器１０３と、利得制御部１１０，１１０ｂと、減衰量調整部１１４とを有する。増幅部Ｚは、通過する多重光信号Ｓｗを増幅するための増幅特性が相違する複数の経路Ｒ１，Ｒ２が設けられている。
【００９５】
通過経路決定部１１２，１１２ｃは、複数の経路Ｒ１，Ｒ２から多重光信号Ｓｗが通過する通過経路を決定する。可変光減衰器１０３は、通過経路決定部１１２，１１２ｃにより決定された通過経路を通過することにより増幅された多重光信号Ｓｗを減衰させる。
【００９６】
ＰＤ１０７は、可変光減衰器１０３により減衰した多重光信号Ｓｗの出力パワーを検出する。利得制御部１１０，１１０ｂは、ＰＤ１０６，１０６ｃにより検出された入力パワーＰｉｎ及びＰＤ１０７により検出された出力パワーＰｏｕｔに基づき光増幅器の利得が一定となるように増幅部Ｚ（ＥＤＦＡ１００〜１０２）を制御する。
【００９７】
減衰量調整部１１４は、ＰＤ１０６により検出された入力パワーＰｉｎに応じて可変光減衰器１０３の減衰量Ａｔｔを調整する。減衰量調整部１１４は、入力パワーＰｉｎと減衰量Ａｔｔの関係を通過経路に応じて切り替える。
【００９８】
上記の構成によると、減衰量調整部１１４は、入力パワーＰｉｎと減衰量Ａｔｔの関係を、通過経路決定部１１２により決定された通過経路に応じて切り替える。このため、可変光減衰器１０３の減衰量Ａｔｔは、通過経路における多重光信号Ｓｗの増幅特性に応じて適切に調整される。したがって、光増幅器の利得は、通過経路が切り替えられても、その増幅特性に応じて変化しないので、波長ごとの利得偏差が低減される。
【００９９】
また、実施例に係る光伝送装置２は、多重光信号Ｓｗを増幅する入力側光増幅器２０と、入力側光増幅器２０により増幅された多重光信号Ｓｗに対し、光信号の挿入及び分岐の少なくとも一方を行う光分岐挿入部２１とを有する。
【０１００】
入力側光増幅器２０は、増幅部Ｚと、通過経路決定部１１２，１１２ｃと、ＰＤ１０６，１０６ｃ，１０７と、可変光減衰器１０３と、利得制御部１１０，１１０ｂと、減衰量調整部１１４とを有する。増幅部Ｚは、通過する多重光信号Ｓｗを増幅するための増幅特性が相違する複数の経路Ｒ１，Ｒ２が設けられている。
【０１０１】
通過経路決定部１１２，１１２ｃは、複数の経路Ｒ１，Ｒ２から多重光信号Ｓｗが通過する通過経路を決定する。可変光減衰器１０３は、通過経路決定部１１２，１１２ｃにより決定された通過経路を通過することにより増幅された多重光信号Ｓｗを減衰させる。
【０１０２】
ＰＤ１０７は、可変光減衰器１０３により減衰した多重光信号Ｓｗの出力パワーを検出する。利得制御部１１０，１１０ｂは、ＰＤ１０６，１０６ｃにより検出された入力パワーＰｉｎ及びＰＤ１０７により検出された出力パワーＰｏｕｔに基づき光増幅器の利得が一定となるように増幅部Ｚ（ＥＤＦＡ１００〜１０２）を制御する。
【０１０３】
減衰量調整部１１４は、ＰＤ１０６により検出された入力パワーＰｉｎに応じて可変光減衰器１０３の減衰量Ａｔｔを調整する。減衰量調整部１１４は、入力パワーＰｉｎと減衰量Ａｔｔの関係を通過経路に応じて切り替える。
【０１０４】
実施例に係る光伝送装置２は、上記の光増幅器と同様の構成を含むので、上述した内容と同様の作用効果を奏する。
【０１０５】
また、実施例に係る光中継装置３は、多重光信号Ｓｗを光増幅器３０により増幅して他装置に中継する。
【０１０６】
光増幅器３０は、増幅部Ｚと、通過経路決定部１１２，１１２ｃと、ＰＤ１０６，１０６ｃ，１０７と、可変光減衰器１０３と、利得制御部１１０，１１０ｂと、減衰量調整部１１４とを有する。増幅部Ｚは、通過する多重光信号Ｓｗを増幅するための増幅特性が相違する複数の経路Ｒ１，Ｒ２が設けられている。
【０１０７】
通過経路決定部１１２，１１２ｃは、複数の経路Ｒ１，Ｒ２から多重光信号Ｓｗが通過する通過経路を決定する。可変光減衰器１０３は、通過経路決定部１１２，１１２ｃにより決定された通過経路を通過することにより増幅された多重光信号Ｓｗを減衰させる。
【０１０８】
ＰＤ１０７は、可変光減衰器１０３により減衰した多重光信号Ｓｗの出力パワーを検出する。利得制御部１１０，１１０ｂは、ＰＤ１０６，１０６ｃにより検出された入力パワーＰｉｎ及びＰＤ１０７により検出された出力パワーＰｏｕｔに基づき光増幅器の利得が一定となるように増幅部Ｚ（ＥＤＦＡ１００〜１０２）を制御する。
【０１０９】
減衰量調整部１１４は、ＰＤ１０６により検出された入力パワーＰｉｎに応じて可変光減衰器１０３の減衰量Ａｔｔを調整する。減衰量調整部１１４は、入力パワーＰｉｎと減衰量Ａｔｔの関係を通過経路に応じて切り替える。
【０１１０】
実施例に係る光中継装置３は、上記の光増幅器と同様の構成を含むので、上述した内容と同様の作用効果を奏する。
【０１１１】
上述した実施形態は本発明の好適な実施の例である。但し、これに限定されるものではなく、本発明の要旨を逸脱しない範囲内において種々変形実施可能である。
【０１１２】
なお、以上の説明に関して更に以下の付記を開示する。
（付記１）  通過する波長多重光信号を増幅するための増幅特性が相違する複数の経路が設けられた増幅部と、
前記複数の経路から前記波長多重光信号が通過する通過経路を決定する決定部と、
前記増幅部に入力される前記波長多重光信号の入力パワーを検出する入力側検出部と、
前記決定部により決定された前記通過経路を通過することにより増幅された前記波長多重光信号を減衰させる可変光減衰器と、
前記可変光減衰器により減衰した前記波長多重光信号の出力パワーを検出する出力側検出部と、
前記入力側検出部により検出された前記入力パワー及び前記出力側検出部により検出された前記出力パワーに基づき前記増幅部の利得が一定となるように前記増幅部を制御する制御部と、
前記入力側検出部により検出された前記入力パワーに応じて前記可変光減衰器の減衰量を調整する調整部とを有し、
前記調整部は、前記入力パワーと前記減衰量の関係を前記通過経路に応じて切り替えることを特徴とする光増幅器。
（付記２）  前記調整部は、前記入力パワー及び補正値に基づき前記可変光減衰器の減衰量を調整し、前記補正値を前記通過経路に応じて切り替えることを特徴とする付記１に記載の光増幅器。
（付記３）  前記入力パワーと前記増幅部の雑音指数またはＡＳＥ光のパワーの関係を示す複数種類のデータを保持するデータ保持部と、
前記決定部により決定された前記通過経路に応じて前記複数種類のデータから１種類のデータを選択し、該選択した１種類のデータに基づいて、前記入力側検出部により検出された前記入力パワーから前記ＡＳＥ光のパワーを算出する算出部とを、さらに有し、
前記制御部は、前記算出部により算出された前記ＡＳＥ光のパワーに基づいて前記利得の目標値を算出することを特徴とする付記１または２に記載の光増幅器。
（付記４）  相違する複数の数値範囲を示す数値情報を保持する数値情報保持部と、
前記決定部により決定された前記通過経路に応じて前記複数の数値範囲から数値範囲を選択し、前記入力側検出部により検出された前記入力パワーが、該選択した数値範囲内であるか否かを判定する判定部とを、さらに有することを特徴とする付記１乃至３に記載の光増幅器。
（付記５）  前記決定部は、前記入力側検出部により検出された前記入力パワーに応じて前記複数の経路から前記通過経路を決定することを特徴とする付記１乃至４の何れかに記載の光増幅器。
（付記６）  前記入力側検出部は、前記増幅部に前記波長多重光信号が入力されていないとき、他装置から前記増幅部に入力される試験光の入力パワーを検出し、
前記決定部は、前記入力側検出部により検出された前記試験光の前記入力パワーに応じて前記複数の経路から前記通過経路を決定することを特徴とする付記５に記載の光増幅器。
（付記７）  波長多重光信号を増幅する光増幅器と、
前記光増幅器により増幅された前記波長多重光信号に対し、光信号の挿入及び分岐の少なくとも一方を行う光分岐挿入部とを有し、
前記光増幅器は、
通過する前記波長多重光信号を増幅するための増幅特性が相違する複数の経路が設けられた増幅部と、
前記複数の経路から前記波長多重光信号が通過する通過経路を決定する決定部と、
前記増幅部に入力される前記波長多重光信号の入力パワーを検出する入力側検出部と、
前記決定部により決定された前記通過経路を通過することにより増幅された前記波長多重光信号を減衰させる可変光減衰器と、
前記可変光減衰器により減衰した前記波長多重光信号の出力パワーを検出する出力側検出部と、
前記入力側検出部により検出された前記入力パワー及び前記出力側検出部により検出された前記出力パワーに基づき前記増幅部の利得が一定となるように前記増幅部を制御する制御部と、
前記入力側検出部により検出された前記入力パワーに応じて前記可変光減衰器の減衰量を調整する調整部とを有し、
前記調整部は、前記入力パワーと前記減衰量の関係を前記通過経路に応じて切り替えることを特徴とする光伝送装置。
（付記８）  前記調整部は、前記入力パワー及び補正値に基づき前記可変光減衰器の減衰量を調整し、前記補正値を前記通過経路に応じて切り替えることを特徴とする付記７に記載の光伝送装置。
（付記９）  前記入力パワーと前記増幅部の雑音指数またはＡＳＥ光のパワーの関係を示す複数種類のデータを保持するデータ保持部と、
前記決定部により決定された前記通過経路に応じて前記複数種類のデータから１種類のデータを選択し、該選択した１種類のデータに基づいて、前記入力側検出部により検出された前記入力パワーから前記ＡＳＥ光のパワーを算出する算出部とを、さらに有し、
前記制御部は、前記算出部により算出された前記ＡＳＥ光のパワーに基づいて前記利得の目標値を算出することを特徴とする付記７または８に記載の光伝送装置。
（付記１０）  相違する複数の数値範囲を示す数値情報を保持する数値情報保持部と、
前記決定部により決定された前記通過経路に応じて前記複数の数値範囲から数値範囲を選択し、前記入力側検出部により検出された前記入力パワーが、該選択した数値範囲内であるか否かを判定する判定部とを、さらに有することを特徴とする付記７乃至９に記載の光伝送装置。
（付記１１）  前記決定部は、前記入力側検出部により検出された前記入力パワーに応じて前記複数の経路から前記通過経路を決定することを特徴とする付記７乃至１０の何れかに記載の光伝送装置。
（付記１２）  前記入力側検出部は、前記増幅部に前記波長多重光信号が入力されていないとき、他装置から前記増幅部に入力される試験光の入力パワーを検出し、
前記決定部は、前記入力側検出部により検出された前記試験光の前記入力パワーに応じて前記複数の経路から前記通過経路を決定することを特徴とする付記１１に記載の光伝送装置。
（付記１３）  波長多重光信号を光増幅器により増幅して他装置に中継する光中継装置において、
前記光増幅器は、
通過する前記波長多重光信号を増幅するための増幅特性が相違する複数の経路が設けられた増幅部と、
前記複数の経路から前記波長多重光信号が通過する通過経路を決定する決定部と、
前記増幅部に入力される前記波長多重光信号の入力パワーを検出する入力側検出部と、
前記決定部により決定された前記通過経路を通過することにより増幅された前記波長多重光信号を減衰させる可変光減衰器と、
前記可変光減衰器により減衰した前記波長多重光信号の出力パワーを検出する出力側検出部と、
前記入力側検出部により検出された前記入力パワー及び前記出力側検出部により検出された前記出力パワーに基づき前記増幅部の利得が一定となるように前記増幅部を制御する制御部と、
前記入力側検出部により検出された前記入力パワーに応じて前記可変光減衰器の減衰量を調整する調整部とを有し、
前記調整部は、前記入力パワーと前記減衰量の関係を前記通過経路に応じて切り替えることを特徴とする光中継装置。
（付記１４）  前記調整部は、前記入力パワー及び補正値に基づき前記可変光減衰器の減衰量を調整し、前記補正値を前記通過経路に応じて切り替えることを特徴とする付記１３に記載の光中継装置。
（付記１５）  前記入力パワーと前記増幅部の雑音指数またはＡＳＥ光のパワーの関係を示す複数種類のデータを保持するデータ保持部と、
前記決定部により決定された前記通過経路に応じて前記複数種類のデータから１種類のデータを選択し、該選択した１種類のデータに基づいて、前記入力側検出部により検出された前記入力パワーから前記ＡＳＥ光のパワーを算出する算出部とを、さらに有し、
前記制御部は、前記算出部により算出された前記ＡＳＥ光のパワーに基づいて前記利得の目標値を算出することを特徴とする付記１３または１４に記載の光中継装置。
（付記１６）  相違する複数の数値範囲を示す数値情報を保持する数値情報保持部と、
前記決定部により決定された前記通過経路に応じて前記複数の数値範囲から数値範囲を選択し、前記入力側検出部により検出された前記入力パワーが、該選択した数値範囲内であるか否かを判定する判定部とを、さらに有することを特徴とする付記１３乃至１５に記載の光中継装置。
（付記１７）  前記決定部は、前記入力側検出部により検出された前記入力パワーに応じて前記複数の経路から前記通過経路を決定することを特徴とする付記１３乃至１６の何れかに記載の光中継装置。
（付記１８）  前記入力側検出部は、前記増幅部に前記波長多重光信号が入力されていないとき、他装置から前記増幅部に入力される試験光の入力パワーを検出し、
前記決定部は、前記入力側検出部により検出された前記試験光の前記入力パワーに応じて前記複数の経路から前記通過経路を決定することを特徴とする付記１７に記載の光中継装置。
【符号の説明】
【０１１３】
１００〜１０２      ＥＤＦＡ
１０６，１０６ｃ，１０７     ＰＤ
１１０，１１０ａ，１１０ｂ     利得制御部
１１２，１１２ｃ      通過経路決定部
１１４       減衰量調整部
１１５       補正値選択部
１１６       データ保持部
１１７       雑音量算出部
１１８       数値情報保持部
１１９       入力異常判定部
Ｚ        増幅部
【図１】
0006455297.tif 000002
【図２】
0006455297.tif 000003
【図３】
0006455297.tif 000004
【図４】
0006455297.tif 000005
【図５】
0006455297.tif 000006
【図６】
0006455297.tif 000007
【図７】
0006455297.tif 000008
【図８】
0006455297.tif 000009
【図９】
0006455297.tif 000010
【図１０】
0006455297.tif 000011
【図１１】
0006455297.tif 000012
【図１２】
0006455297.tif 000013
【図１３】
0006455297.tif 000014